(57)【要約】【課題】更なる操作性の向上を図ることができるハンディリーダを提供する。【解決手段】ハンディリーダは、データを記憶する無線タグとの間で無線通信を行うことにより前記無線タグに記憶されたデータを読み取るアンテナ部と、前記アンテナ部に連結されていて、片手で握ることができる握り部と、前記握り部の上部に設けられ、前記アンテナ部により前記無線タグから読み取った前記データを表示する表示部を搭載する携帯端末を着脱可能に横向きに固定する固定部材と、前記携帯端末との間で無線通信を行うことにより前記データを送受信する通信部と、前記握り部において前記固定部材が配設された位置とは反対側に設けられ、前記アンテナ部による前記無線タグとの間での無線通信のＯＮまたはＯＦＦを切り替えるスイッチと、を備え、前記携帯端末を前記固定部材に固定した状態で、前記スイッチに対する操作が可能である。【選択図】図４
2016024724.tif 000002
【特許請求の範囲】
【請求項１】
データを記憶する無線タグとの間で無線通信を行うことにより前記無線タグに記憶されたデータを読み取るアンテナ部と、
前記アンテナ部に連結されていて、片手で握ることができる握り部と、
前記握り部の上部に設けられ、前記アンテナ部により前記無線タグから読み取った前記データを表示する表示部を搭載する携帯端末を着脱可能に横向きに固定する固定部材と、
前記携帯端末との間で無線通信を行うことにより前記データを送受信する通信部と、
前記握り部において前記固定部材が配設された位置とは反対側に設けられ、前記アンテナ部による前記無線タグとの間での無線通信のＯＮまたはＯＦＦを切り替えるスイッチと、
を備え、
前記携帯端末を前記固定部材に固定した状態で、前記スイッチに対する操作が可能である、
ことを特徴とするハンディリーダ。
【請求項２】
前記固定部材は、前記携帯端末の前記表示部が視認可能、かつ、前記握り部における手の握り位置を変えずに前記スイッチおよび前記携帯端末が搭載する操作部を操作可能な態様で、前記携帯端末を固定する、
ことを特徴とする請求項１記載のハンディリーダ。
【請求項３】
前記固定部材は、前記携帯端末を当該携帯端末の対向する二辺をそれぞれ挟持して固定する、
ことを特徴とする請求項１または２記載のハンディリーダ。
【請求項４】
前記握り部と前記アンテナ部との接合部にはヒンジが設けられ、前記アンテナ部の角度を可変とする、
ことを特徴とする請求項１ないし３の何れか一記載のハンディリーダ。
【請求項５】
前記通信部は、ブルートゥースにより前記携帯端末との間で無線通信を行う、
ことを特徴とする請求項１ないし４の何れか一記載のハンディリーダ。
【発明の詳細な説明】
【技術分野】
【０００１】
本発明の実施形態は、ハンディリーダに関する。
【背景技術】
【０００２】
書籍や衣料等に付されたＲＦＩＤ（Radio  Frequency  Identification）タグなどの無線タグに対し、電磁界や電波などを用いた近距離の無線通信によって情報をやりとりするハンディリーダが普及している。
【０００３】
また、従来においては、ＰＤＡ（Personal  Digital  Assistant）装置などの携帯端末を着脱自在に固定可能にしたハンディリーダも存在する。このようなハンディリーダによれば、ＲＦＩＤタグからの読み取り結果を携帯端末の表示部に表示することができる。
【０００４】
しかしながら、上述のような携帯端末を着脱自在に固定可能にしたハンディリーダにおいては、更なる操作性の向上が望まれている。
【発明の概要】
【発明が解決しようとする課題】
【０００５】
本発明が解決しようとする課題は、更なる操作性の向上を図ることができるハンディリーダを提供することである。
【課題を解決するための手段】
【０００６】
実施形態のハンディリーダは、データを記憶する無線タグとの間で無線通信を行うことにより前記無線タグに記憶されたデータを読み取るアンテナ部と、前記アンテナ部に連結されていて、片手で握ることができる握り部と、前記握り部の上部に設けられ、前記アンテナ部により前記無線タグから読み取った前記データを表示する表示部を搭載する携帯端末を着脱可能に横向きに固定する固定部材と、前記携帯端末との間で無線通信を行うことにより前記データを送受信する通信部と、前記握り部において前記固定部材が配設された位置とは反対側に設けられ、前記アンテナ部による前記無線タグとの間での無線通信のＯＮまたはＯＦＦを切り替えるスイッチと、を備え、前記携帯端末を前記固定部材に固定した状態で、前記スイッチに対する操作が可能である。
【図面の簡単な説明】
【０００７】
【図１】図１は、実施形態にかかるタグ読取り機を正面側から見た外観形態を示す斜視図である。
【図２】図２は、タグ読取り機を背面側から見た外観形態を示す斜視図である。
【図３】図３は、固定部材の挟持端のスライド機構を示す斜視図である。
【図４】図４は、携帯端末を固定したタグ読取り機を正面側から見た外観形態を示す斜視図である。
【図５】図５は、タグ読取り機のハードウェア構成を示すブロック図である。
【発明を実施するための形態】
【０００８】
本実施形態は、バッテリを搭載し、ユーザが片手で持って使用できるＲＦＩＤタグの読取り機（以下、タグ読取り機とする）をハンディリーダとして適用した例である。
【０００９】
ここで、図１は実施形態にかかるタグ読取り機１０１を正面側から見た外観形態を示す斜視図、図２はタグ読取り機１０１を背面側から見た外観形態を示す斜視図である。図１および図２に示すように、本実施形態にかかるタグ読取り機１０１は、大別すると、アンテナ部１０４と、グリップ１０５とを備えて構成される。
【００１０】
アンテナ部１０４は、データを記憶するＲＦＩＤ（Radio  Frequency  Identification）タグ（無線タグ）との間で無線通信を行うことによりＲＦＩＤタグに記憶されたデータを読み取るものである。アンテナ部１０４の無線通信に係るアンテナ３００（図５参照）を収容する部位１０４ａは、扁平矩形形状の箱状に形成されている。
【００１１】
また、アンテナ部１０４は、アンテナ３００、アンテナ部１０４を制御する制御部３０１やバッテリ３０２（いずれも図５参照）を備えている。
【００１２】
グリップ１０５は、アンテナ部１０４の上部に連結されており、湾曲形状に形成されている。グリップ１０５は、ユーザがタグ読取り機１０１を使用する際に片手で握ることができる握り部である。
【００１３】
グリップ１０５とアンテナ部１０４との接合部には、ヒンジ１０２が設けられている。これにより、グリップ１０５とアンテナ部１０４との角度を可変とすることが可能となっている。
【００１４】
グリップ１０５は、固定部材１０６を備えている。固定部材１０６は、スマートフォンなどの携帯端末２００（図４参照）を着脱可能に固定するものである。
【００１５】
図１および図２に示すように、固定部材１０６は、携帯端末２００を載置する座体１１０に、スポンジ等の軟質材料で形成された緩衝パッド１１０ａを設けている。座体１１０は、概略的には、上面開口の箱形状の本体１２０と、本体１２０に嵌合されて開口部を覆う蓋１２１とで構成されている。なお、携帯端末２００は、アンテナ部１０４により読み取ったデータを表示する表示部２０１（図４参照）およびタグ読取り機１０１を操作する操作部２０２（図４参照）を備えるものである。
【００１６】
固定部材１０６は、グリップ１０５の上部であって、アンテナ部１０４側の端部近傍に設けられている。固定部材１０６は、グリップ１０５に対してねじ穴１０８において固定ねじ（図示せず）で固定されている。なお、ねじ穴１０８は、固定ねじで固定後、ゴム栓１０９で覆われる。これにより、ねじ穴１０８にごみや塵が溜まるのを防止することができる。
【００１７】
固定部材１０６は、図１および図２に示すように、携帯端末２００を載置する座体１１０（蓋１２１）の下部に位置する一側に、前方へと延伸された挟持端１１１が固定的に設けられている。また、固定部材１０６は、座体１１０の挟持端１１１に対向する一側に、当該座体１１０から離間する方向にスライド自在であって前方へと延伸された挟持端１１２が設けられている。なお、挟持端１１１および挟持端１１２の内側面には、スポンジ等の軟質材料で形成された緩衝パッド１１１ａおよび１１２ａが設けられている。
【００１８】
ここで、図３は固定部材１０６の挟持端１１２のスライド機構を示す斜視図である。図３は、座体１１０を構成する蓋１２１を取り除いた状態を示すものである。図３（ａ）はスライド前の状態、図３（ｂ）はスライド後の状態を示すものである。図３に示すように、挟持端１１２は、座体１１０を構成する本体１２０に設けられた溝部１２３に対してスライド可能なスライド部材１３０の一端部１３０ａに設けられている。また、本体１２０には、２つの弾性部材１２２が、溝部１２３を挟むように当該溝部１２３にそれぞれ平行に設けられている。これらの弾性部材１２２は、例えば圧縮コイルばねである。これらの弾性部材１２２は、その二端がそれぞれ本体１２０の内面１２０ａとスライド部材１３０の他端部１３０ｂとに接しており、スライド部材１３０のスライドに応じてそれらの間で伸縮する。
【００１９】
なお、スライド部材１３０のスライド量は、２０ｍｍ程度である。
【００２０】
まず、携帯端末２００の固定に際して、固定部材１０６のスライド部材１３０が溝部１２３に沿って本体１２０から引っ張られると、弾性部材１２２が圧縮される。その後、挟持端１１１とスライド部材１３０の挟持端１１２との間に携帯端末２００が挿入され、スライド部材１３０に対する引っ張りが解除される。このようにして引っ張りが解除されると、圧縮されていた弾性部材１２２は、スライド方向とは反対方向への引っ張り力を発生する。これにより、スライド部材１３０の挟持端１１２が閉じる。スライド部材１３０の挟持端１１２は、携帯端末２００の固定位置に至ると、弾性部材１２２の提供する引っ張り力により、挟持端１１１とスライド部材１３０の挟持端１１２との間で携帯端末２００を固定する。
【００２１】
すなわち、固定部材１０６は、携帯端末２００を当該携帯端末２００の対向する二辺をそれぞれ挟持して固定する。
【００２２】
一方、携帯端末２００の取り外しに際しては、固定の際と同様に、固定部材１０６のスライド部材１３０を溝部１２３に沿って本体１２０から引っ張れば良い。
【００２３】
このように本実施形態によれば、固定部材１０６のスライド部材１３０を溝部１２３に沿ってスライドさせるだけで容易に携帯端末２００を固定部材１０６に固定することができるので、タグ読取り機１０１と携帯端末２００を一体構成とすることができる。また、固定部材１０６に対する携帯端末２００の着脱に際しては、座体１１０に設けられた緩衝パッド１１０ａや、挟持端１１１および挟持端１１２に設けられた緩衝パッド１１１ａおよび１１２ａによって、携帯端末２００が傷つくことを防止することができる。
【００２４】
ここで、図４は携帯端末２００を固定したタグ読取り機１０１を正面側から見た外観形態を示す斜視図である。図４に示すように、本実施形態においては、固定部材１０６は、長辺側を上下方向に位置させて矩形状の携帯端末２００を固定する。すなわち、固定部材１０６は、グリップ１０５を横切るように、携帯端末２００を横向きに固定する。
【００２５】
図４に示すように、固定部材１０６は、携帯端末２００の表示部２０１が視認可能、かつ、グリップ１０５を握った手の人差し指で操作部２０２を操作可能な態様で、携帯端末２００を横向きに固定する。これにより、携帯端末２００がタグ読取り機１０１に固定されかつＲＦＩＤタグにアンテナ部１０４を向けて当該ＲＦＩＤタグに記憶されるデータを読み取っている際も、表示部２０１に表示されたデータを容易に確認することができ、携帯端末２００が備える操作部２０２の操作も容易に行うことができる。すなわち、タグ読取り機１０１のグリップ１０５を手で持った時、携帯端末２００は、操作性と視認性の良い位置に配置されている。
【００２６】
また、図１および図４に示すように、グリップ１０５には、スタートＳＷ（スイッチ）１１５が設けられている。より詳細には、スタートＳＷ（スイッチ）１１５は、グリップ１０５において固定部材１０６が配設された位置とは当該グリップ１０５を介して反対側に設けられる。スタートＳＷ（スイッチ）１１５は、アンテナ部１０４によるＲＦＩＤタグとの間での無線通信のＯＮまたはＯＦＦを切り替えるものである。
【００２７】
また、図４に示すように、本実施形態によれば、携帯端末２００が固定部材１０６によってグリップ１０５を横切るように横向きに固定されており、かつ、スタートＳＷ（スイッチ）１１５が携帯端末２００の配設位置とはグリップ１０５を介して反対側に設けられている。これにより、グリップ１０５における手の握り位置を変えずにスタートＳＷ（スイッチ）１１５および携帯端末２００の操作を行うことができるので、操作性の向上を図ることができる。
【００２８】
次いで、タグ読取り機１０１のアンテナ部１０４のハードウェア構成について図５を参照しつつ説明する。図５に示すように、タグ読取り機１０１のアンテナ部１０４は、制御部３０１、バッテリ３０２を備えている。制御部３０１は、ＲＦ−ＰＣＢ３１０、デジタルＰＣＢ３１１、およびＰＣＢ（Printed  Circuit  Board）３１２を備えている。
【００２９】
ＲＦ−ＰＣＢ３１０は、アンテナ３００によるＲＦＩＤタグとの無線通信を制御する電子部品を実装するものである。
【００３０】
ＰＣＢ３１２は、メインＳＷ３２０、ブルートゥースモジュール３２１、バッテリ接点端子３２２等を実装した基板である。
【００３１】
ブルートゥースモジュール３２１は、ＰＣＢ３１２上に実装され、ブルートゥース（Bluetooth：登録商標）による携帯端末２００との無線通信を行う通信部である。ブルートゥースモジュール３２１は、アンテナ３００によりＲＦＩＤタグから読み取ったデータを携帯端末２００に送信する。なお、本実施形態では、携帯端末２００との無線通信を行うための通信部としてブルートゥースモジュール３２１を用いているが、携帯端末２００と無線通信を行うものであれば、これに限定するものではない。例えば、無線ＬＡＮにより携帯端末２００との無線通信を行う機器であっても良い。
【００３２】
メインＳＷ３２０は、ＰＣＢ３１２上であって、アンテナ部１０４に実装され、タグ読取り機１０１の電源のＯＮまたはＯＦＦを切り替えるものである。本実施形態では、メインＳＷ３２０には、小型のシーソーＳＷを使用する。
【００３３】
バッテリ３０２は、タグ読取り機１０１全体に電力を供給するものである。
【００３４】
バッテリ接点端子３２２は、ＰＣＢ３１２上に実装され、バッテリ３０２から供給される電力をＰＣＢ３１２上に実装された各種電子部品に伝える。
【００３５】
デジタルＰＣＢ３１１は、ＬＥＤ、および当該ＬＥＤの発光を制御する電子部品を実装するものである。デジタルＰＣＢ３１１上には、表示部３３０が実装される。表示部３３０は、４つのＬＥＤ（Light  Emitting  Diode）を備え、各ＬＥＤはアンテナ部１０４による無線通信が行われていること、ブルートゥースモジュール３２１による無線通信が行われていること、メインＳＷ３２０によるタグ読取り機１０１の電源のＯＮまたはＯＦＦ、およびタグ読取り機１０１で発生したエラーを通知するものである。
【００３６】
本実施形態では、表示部３３０のＬＥＤには、チップＬＥＤ（側面発光）を使用する。
【００３７】
次に、本実施形態にかかるタグ読取り機１０１の使用態様について説明する。例えば、図書館において書庫の上段に収められた書籍に付されたＲＦＩＤタグと無線通信によりデータをやりとりする場合、携帯端末２００をタグ読取り機１０１から分離し、タグ読取り機１０１だけを書籍に近づけることにより、携帯端末２００の表示部２０１に表示されたデータをユーザの手元で確認することができる。また、書庫の中段から下段に収められた書籍に付されたＲＦＩＤタグと無線通信によりデータをやりとりする場合、固定部材１０６により携帯端末２００をタグ読取り機１０１に固定したままＲＦＩＤタグからデータを読み取ることにより、表示部２０１に表示されたデータを容易に確認することができ、かつ携帯端末２００が備える操作部２０２の操作も容易に行うことができる。
【００３８】
このように、本実施の形態にかかるタグ読取り機１０１によれば、ＲＦＩＤタグに記憶されたデータを読み取るアンテナ部１０４と、携帯端末２００を着脱可能に固定する固定部材１０６と、携帯端末２００とブルートゥースにより無線通信を行うことによりアンテナ部１０４によりＲＦＩＤタグから読み取ったデータを携帯端末２００に送信するブルートゥースモジュール３２１と、を備えることにより、携帯端末２００をタグ読取り機１０１から分離して使用できるので、ユーザから離れた位置にあるＲＦＩＤタグからデータを読み取る場合であっても、ＲＦＩＤタグからのデータの読取り結果を容易に手元で見ることができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１０１      ハンディリーダ
１０４      アンテナ部
１０５      握り部
１０６      固定部材
１１５      スイッチ
３２１      通信部
【先行技術文献】
【特許文献】
【００４１】
【特許文献１】特開２０１０−２２４６４０号公報
【図１】
2016024724.tif 000003
【図２】
2016024724.tif 000004
【図３】
2016024724.tif 000005
【図４】
2016024724.tif 000006
【図５】
2016024724.tif 000007